(57)【要約】      （修正有）【課題】接続構造が安定であり、支持力が強く、扇風機ヘッドの大角度範囲での俯仰を実現することが容易なスタンド扇風機頭部俯仰構造を提供する。【解決手段】スタンド支持ホルダー１を含み、スタンド支持ホルダーの上端に俯仰可動アセンブリが取り付けられ、俯仰可動アセンブリが扇風機ヘッド構造を取り付けるための俯仰ブラケット２を含み、俯仰ブラケットが２つの側方支持板を含み、２つの側方支持板にそれぞれ第１の回転軸及び第２の回転軸が固定的に取り付けられ、第１の回転軸、第２の回転軸が可動にスタンド支持ホルダーに取り付けられ、俯仰可動アセンブリが更に第１の回転軸の正逆回転を制御するための俯仰モータ３を含み、俯仰モータの出力端が伝動アセンブリ４を介して第１の回転軸に伝動接続され、第１の回転軸が回転して俯仰ブラケットを上下に俯仰運動させる。【選択図】図１
0003206932.tif 000002
【実用新案登録請求の範囲】
【請求項１】
スタンド支持ホルダーを含むスタンド扇風機頭部俯仰構造であって、前記スタンド支持ホルダーの上端に俯仰可動アセンブリが取り付けられ、前記俯仰可動アセンブリが扇風機ヘッド構造を取り付けるための俯仰ブラケットを含み、前記俯仰ブラケットが２つの側方支持板を含み、２つの側方支持板にそれぞれ第１の回転軸及び第２の回転軸が固定的に取り付けられ、前記第１の回転軸、第２の回転軸が可動に前記スタンド支持ホルダーに取り付けられ、前記俯仰可動アセンブリが更に第１の回転軸の正逆回転を制御するための俯仰モータを含み、前記俯仰モータの出力端が伝動アセンブリを介して第１の回転軸に伝動接続され、前記第１の回転軸が回転して前記俯仰ブラケットを駆動して上下に俯仰運動させることを特徴とするスタンド扇風機頭部俯仰構造。
【請求項２】
前記スタンド支持ホルダーの上端に第１のブッシングプレート、第２のブッシングプレートが設置され、前記第１の回転軸、第２の回転軸がそれぞれ横方向に第１のブッシングプレート、第２のブッシングプレート内に取り付けられることを特徴とする請求項１に記載のスタンド扇風機頭部俯仰構造。
【請求項３】
前記俯仰モータが第１のブッシングプレートに固定され、前記伝動アセンブリが相互に噛み合う歯車と弧形ラックを含み、前記歯車が俯仰モータの出力端に伝動接続され、前記弧形ラックが第１の回転軸に固定されることを特徴とする請求項２に記載のスタンド扇風機頭部俯仰構造。
【請求項４】
前記第２の回転軸に位置限定するのためのトーションバネが外嵌設置され、前記トーションバネの一端が第２のブッシングプレートに接続され、前記トーションバネの他端が対応する側方支持板に接続されることを特徴とする請求項３に記載のスタンド扇風機頭部俯仰構造。
【請求項５】
前記第１の回転軸に突起した第１の位置限定ブロックが設置され、前記第１のブッシングプレートに第１の位置限定ブロックの運動範囲を限定するための第１の位置限定溝が設置されることを特徴とする請求項４に記載のスタンド扇風機頭部俯仰構造。
【請求項６】
前記第２の回転軸の対応する側方支持板に突起した第２の位置限定ブロックが設置され、前記第２のブッシングプレートに第２の位置限定ブロックの運動範囲を限定するための第２の位置限定溝が設置されることを特徴とする請求項５に記載のスタンド扇風機頭部俯仰構造。
【請求項７】
前記俯仰ブラケットの俯仰角度範囲値が下向きの俯角１０度から上向きの仰角９０度であることを特徴とする請求項６に記載のスタンド扇風機頭部俯仰構造。
【請求項８】
請求項１〜７のいずれか一項に記載のスタンド扇風機頭部俯仰構造を含み、前記俯仰ブラケットが２つの側方支持板の間に設置される端板を含み、前記端板の内側に駆動モータが取り付けられ、前記端板の外側に扇風機ヘッドが取り付けられ、前記駆動モータの出力端が前記扇風機ヘッドに伝動接続されることを特徴とするスタンド扇風機。
【考案の詳細な説明】
【技術分野】
【０００１】
本考案はスタンド扇風機に関し、特に頭部の俯仰構造に関する。
【背景技術】
【０００２】
従来のスタンド扇風機は大部分が水平方向に回転する機能しかを備えないものであって、すでにユーザの需要を満たせなくなったので、扇風機ヘッドが上下に俯仰できる製品が次第に市場に登場してきており、その扇風機ヘッドの俯仰運動を実現する構造は一般に、俯仰モータ筐体の下方に工状溝を下端に設置した１本の金属軸心を増設し、金属軸心をモータ固定部材（首部）内に挿入し、首部に頂端にネジ山がないネジを金属軸心の工状溝中央までに螺入して頭部が引き上げられることを防止し、首部に１つのＬ型の鉄片を固定し、それにより本体の支柱に接続固定し、Ｌ型鉄片に角度位置決め穴があり、首部とＬ型鉄片の間に小さいスプリングとスチールボールを増設して段階的に角度を調節することを実現し、更に首部に一枚の俯仰スプリングを嵌込し、スプリングの一端をＬ型鉄片にかけ、他端を首部内に係合し、俯仰スプリングが支持弾力を提供して頭部が垂れ下がることを防止し、頭部の俯仰が首部における小さいスプリング及びスチールボールとＬ型鉄片の間の摩擦により実現されるようになっており、このような俯仰構造は接続が弱くて、支持力に限界があって、到達できる俯仰角度範囲が小さい。
【考案の概要】
【考案が解決しようとする課題】
【０００３】
本考案が解決しようとする技術課題は、改進されたスタンド扇風機頭部俯仰構造及びスタンド扇風機を提供することにある。
【課題を解決するための手段】
【０００４】
本考案がその技術課題を解決するために採用する技術的解決手段は、スタンド支持ホルダーを含み、前記スタンド支持ホルダーの上端に俯仰可動アセンブリが取り付けられ、前記俯仰可動アセンブリが扇風機ヘッド構造を取り付けるための俯仰ブラケットを含み、前記俯仰ブラケットが２つの側方支持板を含み、２つの側方支持板にそれぞれ第１の回転軸及び第２の回転軸が固定的に取り付けられ、前記第１の回転軸、第２の回転軸が可動に前記スタンド支持ホルダーに取り付けられ、前記俯仰可動アセンブリが更に第１の回転軸の正逆回転を制御するための俯仰モータを含み、前記俯仰モータの出力端が伝動アセンブリを介して第１の回転軸に伝動接続され、前記第１の回転軸が回転して前記俯仰ブラケットを駆動して上下に俯仰運動させるスタンド扇風機頭部俯仰構造である。
【０００５】
前記のようなスタンド扇風機頭部俯仰構造において、前記スタンド支持ホルダーの上端に第１のブッシングプレート、第２のブッシングプレートが設置され、前記第１の回転軸、第２の回転軸がそれぞれ横方向に第１のブッシングプレート、第２のブッシングプレート内に取り付けられる。
【０００６】
前記のようなスタンド扇風機頭部俯仰構造において、前記俯仰モータが第１のブッシングプレートに固定され、前記伝動アセンブリが相互に噛み合う歯車と弧形ラックを含み、前記歯車が俯仰モータの出力端に伝動接続され、前記弧形ラックが第１の回転軸に固定される。
【０００７】
前記のようなスタンド扇風機頭部俯仰構造において、前記第２の回転軸に位置限定するためのトーションバネが外嵌設置され、前記トーションバネの一端が第２のブッシングプレートに接続され、前記トーションバネの他端が対応する側方支持板に接続される。
【０００８】
前記のようなスタンド扇風機頭部俯仰構造において、前記第１の回転軸に突起した第１の位置限定ブロックが設置され、前記第１のブッシングプレートに第１の位置限定ブロックの運動範囲を限定するための第１の位置限定溝が設置される。
【０００９】
前記のようなスタンド扇風機頭部俯仰構造において、前記第２の回転軸の対応する側方支持板に突起した第２の位置限定ブロックが設置され、前記第２のブッシングプレートに第２の位置限定ブロックの運動範囲を限定するための第２の位置限定溝が設置される。
【００１０】
前記のようなスタンド扇風機頭部俯仰構造において、前記俯仰ブラケットの俯仰角度範囲値が下向きの俯角１０度から上向きの仰角９０度である。
【００１１】
前記のようないずれか一項に記載のスタンド扇風機頭部俯仰構造を含み、前記俯仰ブラケットが２つの側方支持板の間に設置される端板を含み、前記端板の内側に駆動モータが取り付けられ、前記端板の外側に扇風機ヘッドが取り付けられ、前記駆動モータの出力端が前記扇風機ヘッドに伝動接続されるスタンド扇風機である。
【考案の効果】
【００１２】
本考案の技術的解決手段を実施すれば、少なくとも以下のような有用な効果を有する。モータを用いて回転軸を駆動して正逆回転させ、更に扇風機ヘッドを取り付けた俯仰ブラケットに伝動し、扇風機ヘッドの俯仰運動を実現し、構造の接続が安定であり、支持力が強く、扇風機ヘッドの大角度範囲での俯仰を実現することが容易である。
【図面の簡単な説明】
【００１３】
以下、添付図面及び実施例を参照して本考案を更に説明する。
【００１４】
【図１】本実用新案の俯仰構造の模式図である。
【図２】本実用新案の俯仰ブラケットの模式図１である。
【図３】本実用新案の俯仰ブラケットの模式図２である。
【図４】本実用新案のスタンド支持ホルダーの上端の構造模式図である。
【図５】本実用新案のスタンド扇風機の模式図である。
【考案を実施するための形態】
【００１５】
本考案の技術的特徴、目的及び効果をより明らかに理解するために、ここで添付図面を参照して本考案の具体的な実施形態を詳しく説明する。
【００１６】
図１〜４に示すようなスタンド扇風機頭部俯仰構造において、スタンド支持ホルダー１を含み、前記スタンド支持ホルダー１の上端に俯仰可動アセンブリが取り付けられ、前記俯仰可動アセンブリが扇風機ヘッド構造を取り付けるための俯仰ブラケット２を含み、前記俯仰ブラケット２が２つの側方支持板２０を含み、２つの側方支持板２０にそれぞれ第１の回転軸５及び第２の回転軸６が固定的に取り付けられ、前記第１の回転軸５、第２の回転軸６が可動に前記スタンド支持ホルダー１に取り付けられ、前記俯仰可動アセンブリが更に第１の回転軸５の正逆回転を制御するための俯仰モータ３を含み、前記俯仰モータ３の出力端が伝動アセンブリ４を介して第１の回転軸５に伝動接続され、前記第１の回転軸５が回転して前記俯仰ブラケット２を駆動して上下に俯仰運動させる。
【００１７】
俯仰モータ３を起動し、伝動アセンブリ４の伝動作用下で第１の回転軸５を駆動して正逆循環回転させ、第１の回転軸５が俯仰ブラケット２に固定されているので、扇風機ヘッド１１を取り付けるための俯仰ブラケット２もそれに伴って回転し、第２の回転軸６が俯仰ブラケット２の伝動下で同期して回転する。２つの回転軸を設置する目的は俯仰ブラケット２への支持作用を強化すると共に、扇風機ヘッド１１が俯仰する時にバランスを取って安定化する効果を果たせることにある。
【００１８】
いくつかの実施例において、前記スタンド支持ホルダー１の上端に第１のブッシングプレート８、第２のブッシングプレート９が設置され、前記第１の回転軸５、第２の回転軸６がそれぞれ横方向に第１のブッシングプレート８、第２のブッシングプレート９内に取り付けられる。２つの回転軸はそれぞれ対応するブッシングプレートを有し、取り付け構造の安定と運行の平衡性を保証する。また回転軸が水平横方向に取り付けられ、正逆回転する時にそれと連動する俯仰ブラケット２を上下に回転させる。
【００１９】
いくつかの実施例において、前記俯仰モータ３が第１のブッシングプレート８に固定され、前記伝動アセンブリ４が相互に噛み合う歯車と弧形ラック４０を含み、前記歯車が俯仰モータ３の出力端に伝動接続され、前記弧形ラック４０が第１の回転軸５に固定される。歯車と弧形ラック４０を伝動構造とし、その伝動接続が安定であり、俯仰ブラケット２が大範囲角度の回転を行うことを支持できる。
【００２０】
いくつかの実施例において、前記第２の回転軸６に位置限定するためのトーションバネ７が外嵌設置され、前記トーションバネ７の一端が第２のブッシングプレート９に接続され、前記トーションバネ７の他端が対応する側方支持板２０に接続される。トーションバネ７の作用はその自身の弾力を利用して俯仰ブラケット２が扇風機ヘッド１１の重量により自動的に垂れ下がることを防止することにある。
【００２１】
いくつかの実施例において、前記第１の回転軸５に突起した第１の位置限定ブロック５０が設置され、前記第１のブッシングプレート８に第１の位置限定ブロック５０の運動範囲を限定するための第１の位置限定溝が設置され、前記第２の回転軸６の対応する側方支持板２０に突起した第２の位置限定ブロック６０が設置され、前記第２のブッシングプレート９に第２の位置限定ブロック６０の運動範囲を限定するための第２の位置限定溝１０が設置される。前記のような位置限定ブロック、位置限定溝は俯仰ブラケット２が一定の角度範囲内で回転することを確保するものであって、位置限定溝構造はその両端に突出止め構造が存在し、中央が相対的に窪み形成溝であることを意味しており、各位置限定ブロックが対応する回転軸に伴って回転する時、最後に位置限定溝の２つの端部に触れて止められて継続的に回転できなくなることで、回転軸の回転範囲が補助限定され、俯仰ブラケット２の俯仰回転角度が好適に制御されるようになり、該角度は一般に下向き回転角１０度から上向き回転角９０度（参照水平横方向０度）に限定される。
【００２２】
前記各種のスタンド扇風機頭部俯仰構造を用いたスタンド扇風機において、前記俯仰ブラケット２が２つの側方支持板２０の間に設置される端板を含み、前記端板の内側に駆動モータが取り付けられ、前記端板の外側に扇風機ヘッド１１が取り付けられ、前記駆動モータの出力端が前記扇風機ヘッド１１に伝動接続される。
【００２３】
上述したのはただ本考案の好ましい実施例にすぎず、本考案を限定するためのものではなく、当業者にとって、本考案は各種の変更、組合せ及び変化が可能である。本考案の精神及び原則内に行われたいかなる修正、等同な取替え、改進等も本考案の特許請求の範囲に含まれるべきである。
【符号の説明】
【００２４】
１  スタンド支持ホルダー
２  俯仰ブラケット
２０  側方支持板
３  俯仰モータ
４  伝動アセンブリ
４０  弧形ラック５  第１の回転軸
５０  第１の位置限定ブロック
６  第２の回転軸
６０  第２の位置限定ブロック
７  トーションバネ
８  第１のブッシングプレート
９  第２のブッシングプレート
１０  第２の位置限定溝
１１  扇風機ヘッド
【図１】
0003206932.tif 000003
【図２】
0003206932.tif 000004
【図３】
0003206932.tif 000005
【図４】
0003206932.tif 000006
【図５】
0003206932.tif 000007